(57)【要約】【課題】天井埋込型空気調和機の取り付け作業において、吊りボルトに取り付けられるナットの移動作業やワッシャを落下しないように保持する保持作業を簡単に行うことができる天井埋込型空気調和機用の取付治具、及びその取付治具を用いた天井埋込型空気調和機の取付方法を提供する。【解決手段】取付治具３０は、天井埋込型空気調和機の取り付けの際に用いられる治具であり、上ナット２１及び上ワッシャ２３と、下ナット２２及び下ワッシャ２４とを一定の間隔を空けて保持し、ドライバの回転動作により上下のナット２１，２２を連動して回転移動させ、この回転移動とともに上下のワッシャ２３，２４を移動させる。さらに、上ナット２１、上ワッシャ２３、下ナット２２及び下ワッシャ２４に対し取着自在であり、かつ上ナット２１及び上ワッシャ２３を保持しつつ下ナット２２及び下ワッシャ２４を解放する保持態様を有する。【選択図】図１０
2014070788.tif 000002
【特許請求の範囲】
【請求項１】
製品本体(10)の側方に張り出すように取り付けられた取付板部材(14)に対し、天井内の構造材(100)から垂下するように取り付けられた吊りボルト(20)を貫通させ、この吊りボルトに螺合された２個のナット(21,22)により前記取付板部材(14)を上下からワッシャ（23,24）を介して挟み込むように締め付けることにより、前記製品本体(10)が天井内に取り付けられるように構成された天井埋込型空気調和機(1)の取り付けの際に用いられる取付治具(30)であって、
前記吊りボルト(20)に螺合された上ナット(21)及びこれに付属する上ワッシャ(23)と、前記吊りボルト(20)に螺合された下ナット(22)及びこれに付属する下ナット(22)とを一定の間隔を空けて保持するとともに、ドライバ(200)の回転動作により上下のナット（21,22）を連動して回転移動させ、この回転移動とともに上下のワッシャ(23,24)を移動させるように構成され、
さらに、前記吊りボルト(20)に取り付けられた上ナット(21)、上ワッシャ(23)、下ナット(22)及び下ワッシャ(24)に対し取着自在であり、かつ前記上ナット(21)及び前記上ワッシャ(23)を保持しつつ前記下ナット(22)及び前記下ワッシャ(24)を解放する保持態様を有する
ことを特徴とする天井埋込型空気調和機用の取付治具。
【請求項２】
請求項１に記載の天井埋込型空気調和機用の取付治具は、
前記上ナット(21)を螺合可能に保持するとともに、前記上ナット(21)に付属する上ワッシャ(23)を前記上ナット(21)の上下方向の移動とともに上下方向に移動可能に支持する上側保持部(40)と、
前記下ナット(22)を螺合可能に保持するとともに、前記下ナット(22)に付属する下ワッシャ(24)を前記下ナット(22)の上下方向の移動とともに上下方向に移動可能に支持し、さらに、前記ドライバ(200)の回転操作により前記下ナット(22)を回転移動するように構成された下側保持部(50)と、
前記上側保持部(40)と前記下側保持部(50)とを連動させる連動機構(80)とを備え、
前記上ナット(21)及び前記上ワッシャ(23)に対する前記上側保持部(40)の取着操作と、前記下ナット(22)及び前記下ワッシャ(24)に対する前記下側保持部(50)の取着操作とが独立して実行可能である
ことを特徴とする天井埋込型空気調和機用の取付治具。
【請求項３】
天井内の構造材(100)から吊りボルト(20)を垂下させる工程と、
垂下させた前記吊りボルト(20)に対しワッシャ(23,24)を付属させて上下２個のナット(21,22)を螺合する工程と、
螺合された上ナット(21)及び上ワッシャ(23)と下ナット(22)及び下ワッシャ(24)に、請求項１または２に記載の天井埋込型空気調和機用の取付治具を取り付ける工程と、
前記ドライバ(200)により前記取付治具を操作することにより、一定間隔を保持した状態で上下ナット(21,22)を回転移動させるとともに上下ワッシャ(23,24)を上下方向に移動させ、これらナット(21,22)及びワッシャ（23,24）を予め設定された位置へ移動させる工程と、
予め設定された位置に移動した前記下ナット(22)及び前記下ワッシャ(24)の保持状態を解放して、前記下ナット(22)に製品本体(10)から側方に張り出す取付板部材(14)を掛ける工程と、
前記上ナット(21)及び前記上ワッシャ(23)の保持状態を解放して上下ナット(21,22)を締め付けることにより前記製品本体(10)を吊りボルト(20)に対して固定する工程とを含む
ことを特徴とする天井埋込型空気調和機の取付方法。
【発明の詳細な説明】
【技術分野】
【０００１】
本発明は、天井内に空気調和機の製品本体を取り付ける際に用いられる天井埋込型空気調和機用の取付治具、及びその取付治具を用いた天井埋込型空気調和機の取付方法に関する。
【背景技術】
【０００２】
天井埋込型空気調和機の取付方法について説明する。
空気調和機の製品本体の一側面に対するように天井内の構造材から垂下するように２本の吊りボルトを取り付け、製品本体の他側面に対するように天井内の構造材から垂下するように２本の吊りボルトを取り付ける。また、４本の吊りボルトのそれぞれに、上ナットと上ワッシャをねじ入れ、上ワッシャが落ちないように簡易治具で上ワッシャを保持する。さらに、４本の吊りボルトに下ナットと下ワッシャをねじ入れ、上ナットと下ナットとの間の距離が所定距離となる位置まで、下ナットを上方に移動する。そして、製品本体の一側面から側方に張り出した取付板部材と下ナットとを下ワッシャを介して係合させる。すなわち、製品本体を片持ち状態にする。この後、製品本体の他側面から側方に張り出した取付板部材を、他側面に対して配置された２本の吊りボルトに嵌め入れ、下ワッシャを介して取付板部材と下ナットとを係合させる。
【０００３】
次に、製品本体が水平状態かつ天井材から所定の高さに位置するように、各吊りボルトの下ナットを位置決めする。製品本体が所定の位置に配置されたとき、上ワッシャを保持する簡易治具を取り外して、上ナットと下ナットで取付板部材を上下から挟み込むようにして締め付ける。このようにして吊りボルトに製品本体を固定する。（特許文献１、特許文献２及び特許文献３参照）。
【先行技術文献】
【特許文献】
【０００４】
【特許文献１】特開平１１−１０８４３６号公報
【特許文献２】特開平１０−１０３７５９号公報
【特許文献３】特開平８−７５２４１号公報
【発明の概要】
【発明が解決しようとする課題】
【０００５】
このように、空気調和機の取付作業には、吊りボルトにおいて上ナット、下ナット、上ワッシャ、及び下ワッシャを所定の位置まで移動させる作業と、上側のワッシャを保持する作業が含まれるが、これらの作業は、手間がかかりかつ作業者にとっては面倒な作業になっている。このような実情から、ナットを所定の位置に配置する作業や上側のワッシャを保持する作業を、簡単に行えるようしたいという要望が強い。
【０００６】
本発明はこのような実情に鑑みてなされたものであり、その目的は、天井埋込型空気調和機の取付作業において、吊りボルトに取り付けられているナットの移動作業やワッシャを落下しないように保持する保持作業を簡単に行うことができる天井埋込型空気調和機用の取付治具、及びその取付治具を用いた天井埋込型空気調和機の取付方法を提供することにある。
【課題を解決するための手段】
【０００７】
天井埋込型空気調和機用の取付治具は、製品本体の側方に張り出すように取り付けられた取付板部材に対し、天井内の構造材から垂下するように取り付けられた吊りボルトを貫通させ、この吊りボルトに螺合された２個のナットにより前記取付板部材を上下からワッシャを介して挟み込むように締め付けることにより、前記製品本体が天井内に取り付けられるように構成された天井埋込型空気調和機の取り付けの際に用いられるものである。そして、天井埋込型空気調和機用の取付治具は、前記吊りボルトに螺合された上ナット及びこれに付属する上ワッシャと、前記吊りボルトに螺合された下ナット及びこれに付属する下ワッシャとを一定の間隔を空けて保持するとともに、ドライバの回転動作により上下のナットを連動して回転移動させ、この回転移動とともに上下のワッシャを移動させるように構成されている。さらに、天井埋込型空気調和機用の取付治具は、前記吊りボルトに取り付けられた前記上ナット、前記上ワッシャ、前記下ナット及び前記下ワッシャに対し取着自在であり、かつ前記上ナット及び前記上ワッシャを保持しつつ前記下ナット及び前記下ワッシャを解放する保持態様を有する。
【０００８】
天井埋込型空気調和機を吊りボルトに固定するとき、上下のナット間に製品本体の取付板部材を配置し、取付板部材の上下からワッシャを介して挟み込むように上下ナットで取付板部材を締め付ける。この一連の作業には次の２つの作業が含まれる。第１の作業は、上ナットと下ナットを一定の間隔を空けて所定の位置に配置するという作業である。第２の作業は、上ワッシャを上方から落ちないように保持してから、上ナットと下ナットとの間に取付板部材を配置するという作業である。空気調和機の取り付け作業においては、製品本体が吊りボルトに当たって吊りボルトが揺れ動くことがあるため、第２の作業においては、この揺れに対しても上ワッシャが落ちにくくする必要がある。
【０００９】
上記構成によれば、上記２つの作業を含む一連の作業を簡単な操作で行うことが可能である。すなわち、上記構成の取付治具によれば、ドライバを用いて、上ナットと下ナットとを一定間隔で同時に回転移動させることができる。また、取付治具は、上ナット及びこれに付属する上ワッシャを保持する保持態様を有するため、上ワッシャを保持した状態で、下ナットに取付板部材を掛けることが可能となる。このように、上記構成の取付治具は、上記第１の作業をドライバ操作という単純作業に置き換え、かつ上記第２の作業を、上ナット及び上ワッシャを保持するという取付治具の保持態様によって簡単な作業に置き換えるため、天井埋込型空気調和機の取り付け作業における作業者の負担を軽減することができる。
【００１０】
具体的には、天井埋込型空気調和機用の取付治具は、前記上ナットを螺合可能に保持するとともに、前記上ナットに付属する前記上ワッシャを前記上ナットの上下方向の移動とともに上下方向に移動可能に支持する上側保持部と、前記下ナットを螺合可能に保持するとともに、前記下ナットに付属する前記下ワッシャを前記下ナットの上下方向の移動とともに上下方向に移動可能に支持し、さらに、前記ドライバの回転操作により前記下ナットを回転移動するように構成された下側保持部と、前記上側保持部と前記下側保持部とを連動させる連動機構とを備え、前記上ナット及び前記上ワッシャに対する前記上側保持部の取着操作と、前記下ナット及び前記下ワッシャに対する前記下側保持部の取着操作とが独立して実行可能なものである。
【００１１】
この構成によれば、連動機構により、上側保持部と下側保持部とを連動させることができるため、上ナットと下ナットとを共に移動して、これらを所定の位置に配置することができる。また、上側保持部と下側保持部とはそれぞれのナットとワッシャに対して独立して取着操作が可能であるため、下ナットに製品本体の取付板部材を掛けるときには、上側保持部で上ナット及び上ワッシャを保持した状態で、下ナット及び下ワッシャから下側保持部を取り外すことができる。すなわち、下ナットに製品本体の取付板部材を掛けるときに、上ワッシャを落さないようにすることができる。このため、空気調和機の取り付け作業の負担が軽減する。
【００１２】
天井埋込型空気調和機の取付方法は、天井内の構造材から吊りボルトを垂下させる工程と、垂下させた前記吊りボルトに対しワッシャを付属させて上下２個のナットを螺合する工程と、螺合された上ナット及び上ワッシャと下ナット及び下ワッシャに、天井埋込型空気調和機用の取付治具を取り付ける工程と、前記ドライバにより前記取付治具を操作することにより、一定間隔を保持した状態で上下ナットを回転移動させるとともに上下ワッシャを上下方向に移動させ、これらナット及びワッシャを予め設定された位置へ移動させる工程と、予め設定された位置に移動した前記下ナット及び前記下ワッシャの保持状態を解放して、前記下ナットに製品本体から側方に張り出す取付板部材を掛ける工程と、前記上ナット及び前記上ワッシャの保持状態を解放して上下ナットを締め付けることにより前記製品本体を吊りボルトに対して固定する工程とを含む。
【００１３】
この構成によれば、ドライバにより、一定間隔を保持した状態で上下ナットを所定の位置まで回転移動させることができる。また、上ナット及び上ワッシャを保持しつつ、下ナット及び下ワッシャの保持状態を解放してこの下ナットに製品本体の取付板部材を掛けて製品本体を支持することができる。すなわち、このように取付治具を用いることにより、天井埋込型空気調和機の取付作業が簡単になるため、天井埋込型空気調和機の取り付け作業における負担が軽減される。
【発明の効果】
【００１４】
上記天井埋込型空気調和機用の取付治具によれば、天井埋込型空気調和機の取り付け作業において、吊りボルトに取り付けられるナットの移動作業やワッシャを落下しないように保持する保持作業を簡単に行うことができる。また、上記の天井埋込型空気調和機の取付方法によれば、上記の天井埋込型空気調和機用の取付治具を用いるため、天井埋込型空気調和機の取り付け作業における負担が軽減される。
【図面の簡単な説明】
【００１５】
【図１】天井埋込型空気調和機の取付構造を示す模式図。
【図２】取付板部材とナットとの係合構造を示す模式図。
【図３】天井埋込型空気調和機用の取付治具の斜視図。
【図４】上側保持部の平面図。
【図５】上側保持部の正面図。
【図６】図６（ａ）は、図４のＡ−Ａ線に沿う上側保持部の断面図、図６（ｂ）は、図５のＢ−Ｂ線に沿う上側保持部の断面図。
【図７】下側保持部の平面図。
【図８】図７のＣ−Ｃ線に沿う下側保持部の断面図。
【図９】図８のＤ−Ｄ線に沿う下側保持部の断面図。
【図１０】天井埋込型空気調和機用の取付治具の動作を示す断面図。
【図１１】図１１（ａ）は、吊りボルトに螺合する上ナット及び下ナットに天井埋込型空気調和機用の取付治具を取り付けた状態を示す模式図、図１１（ｂ）は、下ナットから下側保持部を取り外した状態を示す模式図、図１１（ｃ）は、下ナットに製品本体を係合させた状態を示す模式図。
【図１２】上側保持部の第１の変形例の平面図。
【図１３】上側保持部の第１の変形例の正面図。
【図１４】図１４（ａ）は、図１２のＥ−Ｅ線に沿う断面図、図１４（ｂ）は、図１３のＦ−Ｆ線に沿う断面図。
【図１５】上側保持部の第２の変形例の斜視図。
【発明を実施するための形態】
【００１６】
図１を参照して、天井内に据え付けられる天井埋込型空気調和機（以下、「空気調和機１」という。）の取付構造を説明する。
天井内の構造材１００には、４本の吊りボルト２０が垂下するように取り付けられている。４本の吊りボルト２０のうちの２本の吊りボルト２０は、空気調和機１の製品本体１０の第１面１１に対するように配置されている。４本の吊りボルト２０のうちの他の２本の吊りボルト２０は、空気調和機１の製品本体１０の第２面１２に対するように配置されている。なお、製品本体１０において第１面１１と第２面１２とは互いに反対の位置にある。
【００１７】
各吊りボルト２０には、上側に配置される上ナット２１と、下側に配置される下ナット２２と、上ナット２１に付属する上ワッシャ２３と、下ナット２２に付属する下ワッシャ２４とが取り付けられている。
【００１８】
製品本体１０は、第１面１１から側方（第１面１１に対して垂直かつ外側に向く方向）に張り出すように取り付けられた２個の取付板部材１４（図１では、２個の取付板部材１４のうちの一方が他方により隠れている。）を有する。この２個の取付板部材１４は製品本体１０の第１面１１側に配置された吊りボルト２０に係合する。
【００１９】
具体的には、上ナット２１と下ナット２２とで取付板部材１４を上下から挟み込みかつ上ナット２１と下ナット２２とを締めることにより、取付板部材１４が吊りボルト２０に対して固定される。製品本体１０の第２面１２から側方に張り出すように取り付けられた２個の取付板部材１４も、同様の態様で、製品本体１０の第２面１２側に配置された吊りボルト２０に固定される。
【００２０】
製品本体１０は、天井材１１０の下面１１１から所定の高さのところに配置されている。具体的には、製品本体１０の下面１３に化粧板１９を取り付けたとき、化粧板１９の周縁上面部１９ａが天井材１１０の下面１１１に当接するように、製品本体１０の配置位置が設定されている。製品本体１０を所定の高さのところに配置するために、製品本体１０を吊りボルト２０に取り付ける前に、吊りボルト２０に対して下ナット２２を所定の位置（以下、「取付位置」）に配置する。下ナット２２の取付位置は、天井材１１０の下面１１１からの距離として定義されて、空気調和機１の機種毎に設定されている。
【００２１】
図２を参照して、製品本体１０の取付板部材１４の構造を説明する。図２は、取付板部材１４とナット２１，２２との位置関係を示した図である。
取付板部材１４は、製品本体１０に固定される固定部１５と、固定部１５から垂直方向（製品本体１０の第１面１１または第２面１２から垂直方向）に延びる係合部１６と、係合部１６の変形を抑制するための補強部１８とを備えている。以下、係合部１６が延びる方向を「横方向」といい、横方向に垂直な方向を「縦方向」という。
【００２２】
係合部１６には、吊りボルト２０が貫通する切込み１７が形成されている。
切込み１７は、縦方向に延びる長孔１７ａと、係合部１６の端から延びて長孔１７ａに繋がる挿入部１７ｂとを有している。長孔１７ａの幅ＤＷは、ワッシャ２３，２４の外径よりも小さい。挿入部１７ｂは、吊りボルト２０が差し入れられる部分である。
【００２３】
（天井埋込型空気調和機用の取付治具）
図３を参照して、天井埋込型空気調和機用の取付治具３０（以下、これを省略して「取付治具３０」という。）について説明する。
【００２４】
取付治具３０は、上ナット２１及び上ワッシャ２３を保持する上側保持部４０と、下ナット２２及び下ワッシャ２４を保持する下側保持部５０と、上側保持部４０と下側保持部５０とを連動させる連動機構８０とを備えている。
【００２５】
上側保持部４０は、上ナット２１を吊りボルト２０に対して螺合可能に保持する。また、上側保持部４０は、上ナット２１の上下方向の移動とともに上ワッシャ２３が上下方向に移動するように、上ナット２１及び上ワッシャ２３を保持する。
【００２６】
下側保持部５０は、下ナット２２を吊りボルト２０に対して螺合可能に保持する。また、下側保持部５０は、下ナット２２の上下方向の移動とともに下ワッシャ２４が上下方向に移動するように、下ナット２２及び下ワッシャ２４を保持する。更に、下側保持部５０は、ドライバ２００（図１０参照）の回転操作により、下ナット２２を回転移動させる機能を有する。
【００２７】
上側保持部４０と下側保持部５０とは、独立してそれぞれに対応するナット２１，２２及びワッシャ２３，２４に対して、装着及び取り外しが可能である。すなわち、上ナット２１及び上ワッシャ２３に対する上側保持部４０の取着操作と、下ナット２２及び下ワッシャ２４に対する下側保持部５０の取着操作とは独立して実施することができる。
【００２８】
図４〜図６を参照して、上側保持部４０について説明する。
図４は、上側保持部４０の平面図を示す。図５は、上側保持部４０の正面図を示す。図６（ａ）は、図４のＡ−Ａ線に沿った上側保持部４０の断面図を示す。図６（ｂ）は、図５のＢ−Ｂ線に沿った上側保持部４０の断面図を示す。
【００２９】
上側保持部４０は、上ナット２１を保持する上側本体部４１と、連動機構８０と係合する接続部４７と、上ワッシャ２３を保持する上ワッシャ保持部４６とを備えている。
上側本体部４１は、全体の概略形状としては、円錐台の側面を膨出したものの上方に突出部４５を設け、かつ外側から上側本体部４１の中心軸ＣＡに向って切り込まれている切込部４２を形成した形状を有する。
【００３０】
切込部４２の上部は、吊りボルト２０が挿通する挿通部４３を構成する。この挿通部４３は、図６（ａ）に示すように、上側本体部４１の中心軸ＣＡに沿うように形成されている。挿通部４３の下端からこの挿通部４３に対して垂直に設けられている下面４３ａは、上ナット２１の上面に当接する。
【００３１】
切込部４２の下部は、図６（ｂ）に示すように、上ナット２１が嵌め込められる上ナット嵌合部４４を構成する。上ナット嵌合部４４は、上ナット２１の６個の側面のうち４個の側面に対応する接触面４４ａを有する。
【００３２】
接続部４７は、上側本体部４１の両側にそれぞれ設けられている。２個の接続部４７は、上側本体部４１の中心軸ＣＡに対して反対の位置に設けられている。接続部４７は、２個の係合爪４８により構成されている。接続部４７は、これらの係合爪４８の間に嵌め込まれる連結棒８１の係合部８２（図３参照）を把持する。
【００３３】
図５に示すように、上ワッシャ保持部４６は、上側本体部４１の下面４１ａに取り付けられている。上ワッシャ保持部４６は、磁石により構成されている。すなわち、上ワッシャ保持部４６は、磁力で、上ワッシャ２３を保持する。図５の上ワッシャ保持部４６の形状は円弧状であるが、その形態は限定されない。
【００３４】
図７〜図９を参照して、下側保持部５０について説明する。
図７は、下側保持部５０の平面図を示す。図８は、図７のＣ−Ｃ線に沿った下側保持部５０の断面図を示す。図９は、図８のＤ−Ｄ線に沿った下側保持部５０の断面図を示す。
【００３５】
図７に示すように、下側保持部５０は、下ナット２２を保持する下側本体部５１と、下側本体部５１を回転可能に支持する支持ケース５７と、下側本体部５１を回転させるギア機構７０（図８参照）とを備えている。
【００３６】
図８に示すように、下側本体部５１は、全体の概略形状としては円柱状である。下側本体部５１は、その中心軸ＣＢに沿って貫通部５２を有する。貫通部５２の上部は、下ナット２２が嵌め込められる下ナット嵌合部５３を構成する。下ナット嵌合部５３は、下ナット２２の６個の側面に対応する６個の接触面５３ａ（図７参照）を有する。貫通部５２の下部は、吊りボルト２０が挿通する挿通部５４を構成する。この挿通部５４は、下側本体部５１の中心軸ＣＢに沿うように形成されている。
【００３７】
下側本体部５１の上面には、下ワッシャ２４が嵌り込む下ワッシャ保持部５５が形成されている。
また、下側本体部５１には、連動機構８０としての２本の連結棒８１が回転可能に取り付けられている。２本の連結棒８１は、下側本体部５１の中心軸ＣＢに対して互いに反対の位置に設けられている。
【００３８】
下側本体部５１の下部外周面には、歯車の歯５６（図９参照）が周方向に沿って形成されている。すなわち、下側本体部５１は歯車としても機能する。以降の説明では、下側本体部５１が歯車として作用するときは、「第３歯車」という。
【００３９】
図８に示すように、支持ケース５７は、下側本体部５１の外周を囲うように形成された胴部５９と、下側本体部５１の上周縁５１ａに沿うように形成されたカバー部５８と、下側本体部５１を下側から支持する底板部６０とを備えている。
【００４０】
カバー部５８は、胴部５９の上側に取り付けられている。カバー部５８は、下側本体部５１の上周縁５１ａに接触する。すなわち、カバー部５８は、下側本体部５１が支持ケース５７から離脱することを防止する。底板部６０は、胴部５９の下側に取り付けられている。底板部６０の中心部には、吊りボルト２０が挿通する挿通部６１が形成されている。
【００４１】
図８及び図９に示すように、胴部５９には、ギア機構７０が設けられている。
ギア機構７０は、ドライバ２００の先端部２１０（図１０参照）が嵌合するドライバ嵌合部７５ａを有する回転体７５と、この回転体７５と同期して回転する第１歯車７１と、第１歯車７１に噛み合う第２歯車７２とを備えている。
【００４２】
第１歯車７１の第１回転軸７３は胴部５９に取り付けられ、かつ底板部６０を貫通する。第１回転軸７３の先端部には、回転体７５が設けられている。すなわち、回転体７５は、底板部６０の下面に設けられている。回転体７５のドライバ嵌合部７５ａは、下方に向けられている。ドライバ嵌合部７５ａにドライバ２００の先端部２１０が下から差し込まれる構造となっている（図１０参照）。第２歯車７２の第２回転軸７４は胴部５９に取り付けられている。
【００４３】
連動機構８０は２本の連結棒８１を備えている。
連結棒８１の先端部には、接続部４７と係合する係合部８２（図３参照）が設けられている。係合部８２は、連結棒８１の括れにより構成されている。係合部８２に接続部４７の係合爪４８が引っ掛かることにより、連結棒８１と接続部４７とが係合する。
【００４４】
連動機構８０は、上側本体部４１と下側本体部５１とを連結またはその連結を解除する。連結棒８１を接続部４７に係合させることにより、下側本体部５１と上側本体部４１とが連結する。連結棒８１を接続部４７から取り外すことにより、下側本体部５１と上側本体部４１との連結が解除される。
【００４５】
図１０を参照して、取付治具３０の取付方法を説明する。
取付治具３０は、吊りボルト２０に螺合する上ナット２１及び下ナット２２を上方に、かつ吊りボルト２０に嵌め込められている上ワッシャ２３及び下ワッシャ２４を上方に移動するときに用いられる。
【００４６】
まず、上ナット２１に上側保持部４０を取り付ける。
具体的には、上側保持部４０の挿通部４３に吊りボルト２０を嵌め込み、かつ上側保持部４０の上ナット嵌合部４４に上ナット２１を嵌める。このとき、挿通部４３の下側にある下面４３ａが上ナット２１に当接する。すなわち、上側保持部４０は、上ナット２１に支持されている。この後、磁石である上ワッシャ保持部４６に上ワッシャ２３を着ける。
【００４７】
次に、下ナット２２を上ナット２１から所定距離以上離れた位置に配置する。上ナット２１と下ナット２２との間の距離は、連結棒８１の長さと略同じとする。この後、下ナット２２に下側保持部５０を取り付ける。
【００４８】
具体的には、下側保持部５０の貫通部５２に吊りボルト２０が挿通するように、下側保持部５０を吊りボルト２０の下端から差し込む。そして、下側保持部５０の下ナット嵌合部５３に下ナット２２を嵌め込み、更に、下側保持部５０の下ワッシャ保持部５５に下ワッシャ２４を嵌め込む。この後、連結棒８１を立てて、連結棒８１の係合部８２と上側保持部４０の接続部４７とを係合する。このとき、連結棒８１の係合部８２と接続部４７との位置が合致しないときは、上側保持部４０を回すか、または下側保持部５０を回して、上側保持部４０と下側保持部５０との間の距離を調整する。そして、連結棒８１の係合部８２と上側保持部４０の接続部４７とを係合し、上側本体部４１と下側本体部５１とを連結する。下側保持部５０は、連結棒８１を介して、上側保持部４０から吊り下げられた状態になっている。
【００４９】
次に、取付治具３０を用いて、上ナット２１、下ナット２２、上ワッシャ２３及び下ワッシャ２４を移動する方法を説明する。
まず、これらのナット２１，２２及びワッシャ２３，２４に対し、上記のように取付治具３０を取り付けた後、ドライバ２００の先端部２１０をドライバ嵌合部７５ａに差し込み、ドライバ２００を回す。このとき、下側保持部５０の下側本体部５１と上側保持部４０とが連動して回転する。これにより、上ナット２１及び下ナット２２が同時に回転するため、上ナット２１及び下ナット２２が共に上方に移動する。なお、上ワッシャ２３は上側保持部４０の上ワッシャ保持部４６に磁力で着いており、下ワッシャ２４は下ワッシャ保持部５５に保持されているため、上ワッシャ２３と下ワッシャ２４は、上ナット２１と下ナット２２の上方への移動と共に、上方に移動する。
【００５０】
次に、上ナット２１、下ナット２２、上ワッシャ２３及び下ワッシャ２４に対する取付治具３０の作用を説明する。
ドライバ２００で回転体７５を回すと、回転体７５の回転と共に、第１歯車７１、第２歯車７２、及び第３歯車としての下側本体部５１が回転する。下側本体部５１は、下ナット２２を回すと共に、連結棒８１を介して上側保持部４０を回す。上側保持部４０が回転すると、上ナット２１が回転する。すなわち、回転体７５の回転により、上ナット２１及び下ナット２２が回転して、上ナット２１と下ナット２２とが共に上方に移動する。
【００５１】
図１１を参照して、空気調和機１の取付方法を説明する。
図１１（ａ）に示すように、天井材１１０に、製品本体１０が入る開口部１１２を形成し、天井の構造材１００に吊りボルト２０を４本取り付ける。具体的には、２本の吊りボルト２０を空気調和機１の製品本体１０の第１面１１に対するように取り付け、他の２本の吊りボルト２０を空気調和機１の製品本体１０の第２面１２に対するように取り付ける。そして、上ナット２１、上ワッシャ２３、下ワッシャ２４、下ナット２２の順に、これらの部材を吊りボルト２０に取り付ける。次に、上ナット２１、下ナット２２、上ワッシャ２３及び下ワッシャ２４に取付治具３０を取り付け、ドライバ２００で、取付治具３０の回転体７５を回す。
【００５２】
図１１（ｂ）に示すように、上ナット２１、下ナット２２、上ワッシャ２３及び下ワッシャ２４が所定の位置に移動したとき、下ナット２２から下側保持部５０を取り外す。このとき、上ナット２１から上側保持部４０を取り外さない。すなわち、上側保持部４０で上ワッシャ２３を保持する。
【００５３】
次に、図１１（ｃ）に示すように、下ワッシャ２４の上に、製品本体１０を取付板部材１４を配置し、取付板部材１４と下ナット２２とを下ワッシャ２４を介して係合させる。この後、上ナット２１から上側保持部４０を取り外して、上ワッシャ２３を取付板部材１４の上に配置し、更に、上ナット２１を下方に回転移動する。そして、上ナット２１を締め付けることにより、上ナット２１と下ナット２２とで取付板部材１４を締め付け、製品本体１０を吊りボルト２０に対して固定する。
【００５４】
上記取付治具３０によれば以下の効果が得られる。
（１）取付治具３０は、吊りボルト２０に螺合された上ナット２１及びこれに付属する上ワッシャ２３と、吊りボルト２０に螺合された下ナット２２及びこれに付属する下ワッシャ２４とを一定の間隔を空けて保持する。また、取付治具３０は、ドライバ２００の回転動作により上ナット２１及び下ナット２２を連動して回転移動させ、この回転移動とともに上ワッシャ２３及び下ワッシャ２４を移動させる。さらに、取付治具３０は、吊りボルト２０に取り付けられた上ナット２１、上ワッシャ２３、下ナット２２及び下ワッシャ２４に対し取着自在であり、かつ上ナット２１及び上ワッシャ２３を保持しつつ下ナット２２及び下ワッシャ２４を解放する保持態様を有する。
【００５５】
取付治具３０はこのような構造を有するため、ドライバ２００を用いて、上ナット２１と下ナット２２とを一定間隔で同時に回転移動させることができる。また、取付治具３０は、上ナット２１及びこれに付属する上ワッシャ２３を保持し、かつ下ナット２２及びこれに付属する下ワッシャ２４を解放状態にする保持態様を有するため、上ワッシャ２３を保持した状態で、下ナット２２に取付板部材１４を掛けることが可能となる。このように、取付治具３０は、上ナット２１と下ナット２２を一定の間隔を空けて両者を同時に所定の位置に配置する機能と、上ワッシャ２３を上方から落ちないように保持する機能とを有する。すなわち、取付治具３０は、従来、手作業で行っていた作業すなわち上ナット２１と下ナット２２を一定の間隔を空けて所定の位置に配置するという作業をドライバ操作という単純作業に置き換える。また、取付治具３０は、上ワッシャ２３を上方から落ちないように保持するといった作業を、上ナット２１及び上ワッシャ２３を保持するという取付治具３０の保持態様によって簡単な作業に置き換える。これにより、空気調和機１の取り付け作業における作業者の負担を軽減することができる。
【００５６】
（２）取付治具３０は、上側保持部４０と、下側保持部５０と、上側保持部４０と下側保持部５０とを連動させる連動機構８０とを備えている。更に、取付治具３０は、上ナット２１及び上ワッシャ２３に対する上側保持部４０の取着操作と、下ナット２２及び下ワッシャ２４に対する下側保持部５０の取着操作とが独立して実行可能な構造を有する。
【００５７】
この構成によれば、連動機構８０により、上側保持部４０と下側保持部５０とを連動させることができため、上ナット２１と下ナット２２とを共に移動して、上ナット２１と下ナット２２とを所定の位置に配置することができる。また、上側保持部４０と下側保持部５０とはそれぞれのナット２１，２２とワッシャ２３，２４に対して独立して取着操作が可能である。このため、上側保持部４０で上ナット２１及び上ワッシャ２３を保持した状態で、下ナット２２及び下ワッシャ２４から下側保持部５０を取り外し、この状態で、下ナット２２に製品本体１０の取付板部材１４を掛けることができる。すなわち、下ナット２２に製品本体１０の取付板部材１４を掛けるときに、上ワッシャ２３を落さないようにすることができる。このため、空気調和機１の取り付け作業の負担が軽減する。
【００５８】
（３）本実施形態の空気調和機１の取付方法は、次の通りである。すなわち、ドライバ２００により取付治具３０を操作することにより、一定間隔を保持した状態で上ナット２１及び下ナット２２を回転移動させるとともに上ワッシャ２３及び下ワッシャ２４を上方向に移動させ、これらナット２１，２２及びワッシャ２３，２４を所定の位置（予め設定された位置）へ移動させる。次に、下ナット２２から下側保持部５０を取り外すことにより、下ナット２２及び下ワッシャ２４の保持状態を解放し、下ナット２２に製品本体１０の取付板部材１４を掛ける。そして、上ナット２１から上側保持部４０を取り外すことにより、上ナット２１及び上ワッシャ２３の保持状態を解放する。更に、取付板部材１４を上ナット２１と下ナット２２とで締め付けることにより、製品本体１０を吊りボルト２０に対して固定する。
【００５９】
この構成によれば、ドライバ２００により、一定間隔を保持した状態で上ナット２１と下ナット２２を所定の位置まで回転移動させることができる。また、上ナット２１及び上ワッシャ２３を保持しつつ、下ナット２２及び下ワッシャ２４の保持状態を解放してこの下ナット２２に製品本体１０の取付板部材１４を掛けて製品本体１０を支持することができる。すなわち、このように取付治具３０を用いることにより空気調和機１の取付作業が簡単になるため、空気調和機１の取り付け作業における負担が軽減される。
【００６０】
（上側保持部の変形例）
図１２〜図１４を参照して、他の形態の上側保持部９０（第１の変形例）について説明する。
【００６１】
図１２は、上側保持部９０の平面図を示す。図１３は、上側保持部９０の正面図を示す。図１４（ａ）は、図１２のＥ−Ｅ線に沿った上側保持部９０の断面図を示す。図１４（ｂ）は、図１３のＦ−Ｆ線に沿った上側保持部９０の断面図を示す。
【００６２】
この変形例に係る上側保持部９０は、上記の上側保持部４０とは、上ワッシャ２３の保持形態が異なる。すなわち、上記の上側保持部４０は、上ワッシャ２３を磁石により保持するが、この変形例に係る上側保持部９０では、上ワッシャ２３を上側本体部９１が内包する。以下、この点を中心に説明し、上記実施形態と同様の構造については説明を省略する。
【００６３】
図１２に示すように、上側保持部９０は、上ナット２１を保持する上側本体部９１と、連動機構８０と係合する接続部９７とを備えている。接続部９７は、２つの係合爪９８を備えている。
【００６４】
図１３に示すように、上側本体部９１は、円錐台の側面を膨出したものに突出部９６を設け、外側から上側本体部９１の中心軸ＣＸに向って切込部９２を形成し、更に、円錐台の一部を削除してその下部に切込部９２に沿う平坦部９１ａを形成した形状を有する。
【００６５】
切込部９２の上部は、吊りボルト２０が挿通する挿通部９３を構成する。この挿通部９３は、図１４（ａ）に示すように、上側本体部９１の中心軸ＣＸに沿うように形成されている。挿通部９３に対して垂直に設けられている下面９３ａは上ナット２１に当接する。
【００６６】
切込部９２の第１中間部（切込部９２の上部寄りの部分）は、図１４（ａ）及び図１４（ｂ）に示すように、上ナット２１が嵌め込められる上ナット嵌合部９４を構成する。上ナット嵌合部９４は、上ナット２１の６個の側面のうち４個の側面に対応する接触面９４ａを有する（図１４ｂ参照）。
【００６７】
切込部９２の第２中間部（切込部９２の下部寄りの部分）は、図１４（ａ）に示すように、上ワッシャ２３が嵌め込められる上ワッシャ嵌合部９５を構成する。上ワッシャ嵌合部９５は、上ワッシャ２３の側周面に沿う形状を有する。
【００６８】
切込部９２の下部は、吊りボルト２０が挿通する挿通部９９を構成する。この挿通部９９は、図１４（ａ）に示すように、上側本体部９１の中心軸ＣＸに沿うように形成されている。平坦部９１ａは、上ワッシャ２３を上ワッシャ嵌合部９５に導くためのガイドとしての機能を有する。
【００６９】
このような上側保持部９０は、上記実施形態の上側保持部４０と同じ機能を有する。すなわち、上側保持部９０は、連動機構８０により下側保持部５０と連結する。上側保持部９０は、上ナット２１及び上ワッシャ２３を保持する。更に、上ナット２１及び上ワッシャ２３に対する上側保持部９０の取着操作と、下ナット２２及び下ワッシャ２４に対する下側保持部５０の取着操作とが独立して実行可能である。このため、変形例に係る上側保持部９０を有する取付治具３０は、上記実施形態の効果（１）及び（２）に準じた効果を有する。また、変形例に係る上側保持部９０を有する取付治具３０を用いた空気調和機１の取付方法は、上記実施形態の効果（３）に準じた効果を奏する。
【００７０】
（変形例）
本技術は上記実施形態に例示した態様に限られるものではなく、例えば以下のように変更することもできる。また以下の各変形例は、上記実施形態についてのみ適用されるものではなく、異なる変形例同士を互いに組み合わせて実施することもできる。
【００７１】
・上記実施形態では、取付治具３０の上側保持部４０として２つの例を挙げたが、上側保持部４０の形態はこれらに限定されない。
図１５に示すように、例えば、上側保持部１３０（第２の変形例）の上側本体部１３１を２つの半円板状の半体１２０により構成してもよい。具体的には、２つの半体１２０は、合体したときに円板状になるものであり、内部に、上ナット２１及び上ワッシャ２３を収容する内部収容部１２２を有する。２つの半体１２０のそれぞれには、連結棒８１が接続される接続部１２１を有する。この２つの半体１２０を上ナット２１及び上ワッシャ２３に取り付けるときは、上ナット２１及び上ワッシャ２３を左右から２つの半体１２０で挟み込み、２つの半体１２０の合体により、上ナット２１及び上ワッシャ２３を内包する。このような上側保持部１３０は、合体したときに円板状になるため、回転時の揺れが小さい。
【００７２】
・上記実施形態では、ギア機構７０を歯車により構成したが、ギア機構７０の構成はこれに限定されない。例えば、プーリやベルトを用いてギア機構７０を構成することもできる。
【００７３】
・上記実施形態では、ギア機構７０の第１歯車７１及び第２歯車７２を胴部５９に設けている。これに対し、ギア機構７０の第１歯車７１及び第２歯車７２を底板部６０に設けるように構成してもよい。
【００７４】
・上記実施形態では、取付治具３０の下側保持部５０を吊りボルト２０の下端から差し入れる構造としているが、これを上側保持部４０のように、吊りボルト２０に対して横方向から差し入れる構造としてしてもよい。また、下側保持部５０を２つの半体により構成してもよい。この半体は、合体により、下ナット２２及び下ワッシャ２４を内包する。
【００７５】
・上記実施形態では、支持ケース５７自体の回転を考慮していないが、支持ケース５７自体の回転を抑制する抑制機構を取付治具３０に設けてもよい。例えば、下側保持部５０の底板部６０の挿通部６１と吊りボルト２０との間に、摩擦を増大させる部材を嵌めてもよい。
【符号の説明】
【００７６】
１…空気調和機、１０…製品本体、１１…第１面、１２…第２面、１３…下面、１４…取付板部材、１５…固定部、１６…係合部、１７…切込み、１７ａ…長孔、１７ｂ…挿入部、１８…補強部、１９…化粧板、１９ａ…周縁上面部、２０…吊りボルト、２１…上ナット、２２…下ナット、２３…上ワッシャ、２４…下ワッシャ、３０…天井埋込型空気調和機用の取付治具、４０…上側保持部、４１…上側本体部、４１ａ…下面、４２…切込部、４３…挿通部、４３ａ…下面、４４…上ナット嵌合部、４４ａ…接触面、４５…突出部、４６…上ワッシャ保持部、４７…接続部、４８…係合爪、５０…下側保持部、５１…下側本体部、５１ａ…上周縁、５２…貫通部、５３…下ナット嵌合部、５３ａ…接触面、５４…挿通部、５５…下ワッシャ保持部、５６…歯、５７…支持ケース、５８…カバー部、５９…胴部、６０…底板部、６１…挿通部、７０…ギア機構、７１…第１歯車、７２…第２歯車、７３…第１回転軸、７４…第２回転軸、７５…回転体、７５ａ…ドライバ嵌合部、８０…連動機構、８１…連結棒、８２…係合部、９０，１３０…上側保持部、９１，１３１…上側本体部、９１ａ…平坦部、９２…切込部、９３…挿通部、９３ａ…下面、９４…上ナット嵌合部、９４ａ…接触面、９５…上ワッシャ嵌合部、９６…突出部、９７…接続部、９８…係合爪、９９…挿通部、１００…構造材、１１０…天井材、１１１…下面、１１２…開口部、１２０…半体、１２１…接続部、１２２…内部収容部、２００…ドライバ、２１０…先端部。
【図１】
2014070788.tif 000003
【図２】
2014070788.tif 000004
【図３】
2014070788.tif 000005
【図４】
2014070788.tif 000006
【図５】
2014070788.tif 000007
【図６】
2014070788.tif 000008
【図７】
2014070788.tif 000009
【図８】
2014070788.tif 000010
【図９】
2014070788.tif 000011
【図１０】
2014070788.tif 000012
【図１１】
2014070788.tif 000013
【図１２】
2014070788.tif 000014
【図１３】
2014070788.tif 000015
【図１４】
2014070788.tif 000016
【図１５】
2014070788.tif 000017